(57)【特許請求の範囲】
【請求項１】
前端部が開放された第１ケースと、
前記第１ケースの内部に収納される第１磁石と、
前記第１磁石を保持し、前記第１ケースの内部に該第１ケースの前記開放前端部とこれに対向する後端部とを結ぶ方向に摺動可能に支持された第１の被装着体抱持部材と、
前記第１ケースと対をなし、該第１ケースの前記開放前端部と係合可能な開放された前端部を有する第２ケースと、
前記第１磁石と対をなす、前記第２ケースの内部に収納された第２磁石と、
前記第２磁石より前位置で、前記第２ケース内部に固着されて該第２ケースの開放前端部に臨む第２の被装着体抱持部材とを備えており、
前記第１ケースの開放前端部における対向する両側壁に内部に被処理流体が流れる被装着体の嵌合を可能とする凹状の第１切欠部が形成されているとともに、該開放前端部における上壁にボルトを螺合する雌ねじ部（又はボルト通し孔）が設けられ、該上壁に対向する下壁に前記第２ケースとの係合用の係合凸部（又は係合凹部）が形成されており、さらに、該上壁及び下壁の少なくとも一方の内面には前記雌ねじ部（又はボルト通し孔）及び前記係合凸部（又は係合凹部）より後方位置で前記第１被装着体抱持部材の前記第１ケースからの脱落を制止するストッパ部材を設けてあり、
前記第２ケースの開放前端部における対向する両側壁に、前記第１ケースの凹状の第１切欠部と対をなす、前記被装着体の嵌合を可能とする凹状の第２切欠部が形成されているとともに、該開放前端部における上壁にボルト通し孔（又はボルトを螺合する雌ねじ部）が設けられ、該上壁に対向する下壁に前記第１ケースとの係合用の係合凹部（又は係合凸部）が形成されており、
前記第１、第２のケースをその第１、第２の凹状切欠部に前記被装着体を嵌めるようにして該被装着体両側に配置するとともに、該第１、第２のケースの前記係合凸部及び係合凹部を互いに係合させ、該係合部位をヒンジ様に利用して前記ボルト通し孔と雌ねじ部を合致させ、ボルトを該ボルト通し孔から雌ねじ部に螺合させ、且つ、前記第１、第２の磁石にて、それらの相互引力で前記第１、第２の被装着体抱持部材を介して前記被装着体を挟着することができる流体磁気処理器。
【請求項２】
前記第１磁石の後部に第１ヨーク部材が固着してあり、前記第２磁石の後部に対し第２ヨーク部材が設けてある請求項１記載の流体磁気処理器。
【請求項３】
前記第１ケースにはねじ式の駆動機構が設けられており、
前記駆動機構は、前記第１ケースの後端部に設けた雌ねじ部と、該雌ねじ部に螺合され、回動されることで、前記第１の被装着体抱持部材を前記第１ケースの開放前端部の方へ押圧できるねじ棒とを含んでいる請求項１又は２記載の流体磁気処理器。
【発明の詳細な説明】
【０００１】
【発明の属する技術分野】
本発明は、管体等の内部に流れる流体（水等）に磁場を印加して磁気処理を施す流体磁気処理器に関する。
【０００２】
【従来の技術】
管体等に流れる流体（例えば水）に流体改質等の目的で磁場を作用させ磁気処理を施す機器は既に知られている。
【０００３】
かかる流体に磁気処理を施す機器は、流体を流通させる管体等に該機器を嵌合装着することで該機器に含まれる一対の磁石を管体等を間に挟むように対向配置するもので、それにより管体等及びその近辺に所定の磁界を発生させるとともに、管体等内部の流体に、その流れを横切る該磁界の磁力線を作用させることで該流体に磁気処理を施すものである。
【０００４】
かかる処理器の管体等への装着のための構造としては、処理器が二分割されていて、これら分割部分を管体等に両側から当てがい、両者をボルト等で連結固定するものや、管体等の径が変わっても装着できるように、例えば、該処理器の分割部分が管体等をそれらの間に挟んだ状態で互いにスライドし磁石の相対距離を変えることができるとともに、両分割部分を管体等に安定的に嵌着固定できるものが提案されている。この場合も両分割部分はボルト、ナット、ワイヤー等を用いて連結固定されていた。
【０００５】
【発明が解決しようとする課題】
しかしながら、いずれにしてもかかる従来の磁気処理器は管体等の被装着体への着脱に手間のかかるものであった。
【０００６】
そこで本発明は管体等の被装着体に対する着脱が容易な流体磁気処理器を提供することを課題とする。
【０００７】
【課題を解決するための手段】
前記の課題を解決するため本発明は、
前端部が開放された第１ケースと、
前記第１ケースの内部に収納される第１磁石と、
前記第１磁石を保持し、前記第１ケースの内部に該第１ケースの前記開放前端部とこれに対向する後端部とを結ぶ方向に摺動可能に支持された第１の被装着体抱持部材と、
前記第１ケースと対をなし、該第１ケースの前記開放前端部と係合可能な開放された前端部を有する第２ケースと、
前記第１磁石と対をなす、前記第２ケースの内部に収納された第２磁石と、
前記第２磁石より前位置で、前記第２ケース内部に固着されて該第２ケースの開放前端部に臨む第２の被装着体抱持部材とを備えており、
前記第１ケースの開放前端部における対向する両側壁に内部に被処理流体が流れる被装着体の嵌合を可能とする凹状の第１切欠部が形成されているとともに、該開放前端部における上壁にボルトを螺合する雌ねじ部（又はボルト通し孔）が設けられ、該上壁に対向する下壁に前記第２ケースとの係合用の係合凸部（又は係合凹部）が形成されており、さらに、該上壁及び下壁の少なくとも一方の内面には前記雌ねじ部（又はボルト通し孔）及び前記係合凸部（又は係合凹部）より後方位置で前記第１被装着体抱持部材の前記第１ケースからの脱落を制止するストッパ部材を設けてあり、
前記第２ケースの開放前端部における対向する両側壁に、前記第１ケースの凹状の第１切欠部と対をなす、前記被装着体の嵌合を可能とする凹状の第２切欠部が形成されているとともに、該開放前端部における上壁にボルト通し孔（又はボルトを螺合する雌ねじ部）が設けられ、該上壁に対向する下壁に前記第１ケースとの係合用の係合凹部（又は係合凸部）が形成されている流体磁気処理器を提供する。
【０００８】
前記雌ねじ部として、それには限らないが、ボルトが螺合できる雌ねじを有するナット、該ナットを嵌着できる壁凹所及び該凹所に連通する壁孔とからなるものを例示できる。
【０００９】
前記第１磁石の後部に、例えば両面接着テープ、接着剤、粘着剤等の適当な手段で第１ヨーク部材を固着してよい。また、前記第２磁石の後部に対し第２ヨーク部材を設けてもよい。
【００１０】
前記第１ケースには、前記第１の被装着体抱持部材を第１磁石とともに前方へ押す駆動機構を設けてもよい。
【００１１】
かかる駆動機構としては、例えば、前記第１ケースの後端部に設けた雌ねじ部と、該雌ねじ部に螺合され、回動されることで、前記第１被装着体抱持部材を前記第１ケースの開放前端部の方へ押圧できるねじ棒とを含むものを挙げることができる。
【００１２】
前記第１及び第２磁石としては、それには限定されないが、ネオジウム・フェライト・ボロン磁石を例示できる。該第１及び第２磁石の磁力としては、それには限定されないが、例えば前記流体磁気処理器を非磁性の被装着体に装着したときに、該被装着体の内部中央部での磁束密度が概ね１６００ガウス〜３４００ガウスとなるものを挙げることができる。前記第１及び第２磁石は、フッ素樹脂コーティングされていてもよい。
【００１３】
また、前記第１ケース、第２ケースや第１、第２の被装着体抱持部材はそれぞれ、合成樹脂材料で成形することが可能である。かかる合成樹脂材料としてはポリプロピレン、ＡＢＳ樹脂等を例示できる。
【００１４】
前記第１ケースにおける第１凹状切欠部及び前記第２ケースにおける第２凹状切欠部の少なくとも一方について、被装着体に接触しようとする部分に所定の厚さの弾性体を装着してもよい。かかる弾性体を構成する弾性材として、弾性を有するゴム、発泡ウレタン、ポリエチレンエラストマー等を例示できる。
【００１５】
前記第１ケースの第１凹状切欠部及び第２ケースの第２凹状切欠部の断面形状としては例えば断面等脚台形状を挙げることができ、このことにより管体等の被装着体の断面形状が円形の場合のみでなく、楕円形状、多角形状等各種形状に対応することが可能となる。この形状以外にも被装着体の予測される各種断面形状に対応して前記磁石で適切に該被装着体を挟着できるものを広く採用できる。また、前記第１及び第２凹状切欠部は共に同一の形状を有していても良く、互いに異なる形状を有していてもよい。
【００１６】
また、予測される被装着体の大きいサイズのものに合わせて各凹状切欠部のサイズを決定しておくことで、各種サイズの被装着体に対応できる。
【００１７】
被装着体の磁力による挟着については、第１被装着体抱持部材が第１ケース内に摺動可能に支持されていることによって、断面積サイズが各種の被装着体をいずれも十分に挟着することができる。
【００１８】
本発明に係る流体磁気処理器は次のようにして被装着体に装着することができる。すなわち、前記第１、第２のケースをその第１、第２の凹状切欠部に管体、管体継ぎ手部分等の被装着体を嵌めるようにして該被装着体両側に配置するとともに、該第１、第２のケースの前記係合凸部及び係合凹部を互いに係合させ、該係合部位をヒンジ様に利用して前記ボルト通し孔と雌ねじ部を合致させ、ボルトを該ボルト通し孔から雌ねじ部に螺合させ、且つ、前記第１、第２の磁石にて、それらの相互引力で、前記第１、第２の被装着体抱持部材を介して前記被装着体を挟着する。
【００１９】
かくして、第１磁石及び第２磁石によって被装着体内部の空間に所定の磁界を形成することができる。
【００２０】
被装着体から流体磁気処理器を外す場合は、雌ねじ部に螺合されているボルトを外し、第１、第２ケースの前記係合凸部及び係合凹部の係合部位をヒンジ様に利用して前記第１ケースと第２ケースを開き、必要に応じて該係合凸部及び係合凹部の相互係合を解いて第１、第２の各ケースを被装着体から外せばよい。
【００２１】
かくして本発明に係る流体磁気処理器は管体等の被装着体に対して容易に着脱できる。
【００２２】
また、本発明に係る流体磁気処理器は、部品数が少ないので容易に、安価に製作することができる。
【００２３】
また本発明の流体磁気処理器は、第１ケース、第２ケースにおける前記凹状切欠部の形状、サイズを適当に定めておくことができ、そうすることで、異なる断面形状やサイズ（特に外径）の被装着体に対し対応でき、それだけ処理器設置コストを抑えることができる。
【００２４】
【発明の実施の形態】
以下本発明の実施の形態について図面を参照して説明する。
【００２５】
図１は流体磁気処理器の１例の平面図である。図２は図１に示す流体磁気処理器の正面図である。図３は図１に示す流体磁気処理器の図１のＸ−Ｘ線に沿う断面図であり、図４は図１に示す流体磁気処理器の図２のＹ−Ｙ線に沿う断面図である。また、図５は管体に装着された図１の流体磁気処理器の断面図である。
【００２６】
図１から図５に示す流体磁気処理器Ａは、第１ケース１と、第１ケース１の内部に収納された第１磁石３と、第１磁石３を保持して第１ケース１の内部に摺動可能に支持された第１被装着体抱持部材５と、第１ケース１と対をなす第２ケース２と、第１磁石３と対をなし、第２ケース２の内部に収納された第２磁石４と、第２磁石４より前位置で、第２ケース２内部に固着された第２被装着体抱持部材６とを備えている。
【００２７】
第１ケース１及び第２ケース２はそれぞれＡＢＳ樹脂にて成形されている。第１抱持部材５及び第２抱持部材６もそれぞれＡＢＳ樹脂にて成形されている。
【００２８】
第１ケース１は箱状のケースで、その前端部１１が開放されている。これと対をなす第２ケース２も箱状のケースで、第１ケース１の開放前端部１１に係合可能な開放された前端部２１を有している。
【００２９】
第１磁石３を保持した第１被装着体抱持部材５は、第１ケース１の内部において、第１ケース前端部１１とこれに対向する後端部１６とを結ぶ方向に摺動可能である。
【００３０】
第２被装着体抱持部材６は第２磁石４より前位置で第２ケースの開放前端部２１に臨んでいる。
【００３１】
図６（Ａ）〜（Ｄ）は第１ケース１の平面図、正面図、底面図、右側面図であり、図６（Ｅ）は図６（Ａ）の６Ｅ−６Ｅ線に沿う断面図である。
【００３２】
第１ケース１には、開放前端部１１における対向する両側壁１１１のそれぞれに凹状の第１切欠部１２が形成されている。この第１切欠部１２は、被処理流体Ｆｌが内部に流れる被装着体Ｋｔ（ここでは管体）の嵌合（より正確には半嵌合）を可能とするものである（図５、図６（Ｂ）、（Ｅ）等参照）。
【００３３】
また、ケース１の開放前端部１１における上壁１１２の前方へ張り出した部分１３０に、ボルトＢｔを螺合する雌ねじ部１３が設けられている（図５、図６（Ｅ）等参照）。上壁１１２に対向する下壁１１３には、第２ケース２との係合用の係合凹部１４が形成されている。係合凹部１４は下壁１１３の張り出した部分１４０の略中央部に内側の各角を丸めて形成した長方形状の孔により提供されている（図６（Ｃ）、（Ｅ）等参照）。さらに、下壁１１３の内面には雌ねじ部１３及び係合凹部１４より後方位置で第１被装着体抱持部材５の第１ケース１からの脱落を制止するストッパ部材１５を設けてある（図６（Ｄ）、（Ｅ）等参照）。
【００３４】
雌ねじ部１３は、６角形ナットＮｔと、該ナットを嵌着した張出部分１３０内面側のナット嵌着凹所１３２と、張出部分１３０外面側の、ナット孔に連通するボルト通し孔１３１とからなっている（図５、図６（Ｂ）、（Ｅ）等参照）。
【００３５】
図７（Ａ）〜（Ｃ）は、第２ケース２の平面図、正面図、左側面図である。図７（Ｄ）は図７（Ａ）の７Ｄ−７Ｄ線に沿う断面図、図７（Ｅ）は図７（Ｂ）の７Ｅ−７Ｅ線に沿う断面図、図７（Ｆ）は図７（Ｂ）の７Ｆ−７Ｆ線に沿う断面図である。
【００３６】
第２ケース２には、開放前端部２１における対向する両側壁２１１のそれぞれに凹状の第２切欠部２２が形成されている。この第２切欠部２２は、第１ケース１における凹状の第１切欠部１２と対をなすもので、被装着体Ｋｔの嵌合（より正確には半嵌合）を可能とするものである（図５、図７（Ｂ）、（Ｄ）等参照）。
【００３７】
また、ケース２の開放前端部２１における上壁２１２の前部２１０にはボルト通し孔２３が形成されている。この孔２３は前記第１ケースの雌ねじ部１３に合致させられるものである（図７（Ｄ）等参照）。さらに、下壁２１３の前部２４０に第１ケース１との係合用の係合凸部２４１が一体的に形成されている（図７（Ｄ）、（Ｆ）等参照）。係合凸部２４１は凸条の形態のものであり、第１ケース前端部に形成された前記係合凹部１４と相互に係合脱離可能である。
【００３８】
また、第２ケース２の後端壁内面には磁石保持凹部２５が一体に形成されている（図７（Ｃ）、（Ｄ）、（Ｅ）、（Ｆ）等参照）。
【００３９】
第１磁石３及び第２磁石４は表面がフッ素樹脂でコーティングされたネオジウム・フェライト・ボロン磁石である。第１磁石及び第２磁石は、これら両磁石で非磁性の被装着体Ｋｔを両側から挟着したときの該被装着体内部の中央部での磁束密度が概ね３４００ガウスとなるものである。
【００４０】
第１磁石３の後端には第１ヨーク部材３１が固着してある。第２磁石４の後端には第２ヨーク部材４１が固着してある（図５参照）。第２磁石４はこのヨーク４１が第２ケース後端部内の磁石保持凹部２５に嵌着固定されるとともに、磁石前端が後述するように第２被装着体抱持部材に支持されることで第２ケース内の定位置に保持される。
【００４１】
図８（Ａ）〜（Ｄ）に第１被装着体抱持部材の平面図、正面図、右側面図、左側面図を、図９（Ａ）〜（Ｄ）に第２被装着体抱持部材の平面図、正面図、右側面図、左側面図をそれぞれ示す。
【００４２】
第１被装着体抱持部材５は、その後面側に第１磁石３が固着されており、前面側に被装着体Ｋｔを挟着するための挟着面５１を備えている（図８参照）。
【００４３】
後面側には第１磁石３の位置決めに利用できる両側突起部５４が形成されており、磁石３はこれらの間に嵌められて部材５に接着にて固着されている。
【００４４】
挟着面５１の上下の縁には若干の張出部５２が一体に形成されている。張出部５２は、第１抱持部材５が第１ケース１の後部側へ摺動したときに、正面側から見て第１ケース１の前記第凹状切欠部１２に合致し得る形状、間隔を有している。
【００４５】
この張出部５２は挟着面５１の被装着体Ｋｔに対する当初の位置決めの補助に利用できる。但し、この張出部５２がなければ位置決めできないというものではない。
【００４６】
また、部材５の前面側の上端縁部にはナット接触部５３が一体に形成されている。この部分５３は、第１被装着体抱持部材５が第１ケース１内を前端部１１方向に摺動し、下壁１１３のストッパ部材１５に当たったときに、上壁１１２に設けられた前記ナットＮｔに接触して上側でも抱持部材５の摺動脱落を抑えることができる。
【００４７】
第２被装着体抱持部材６は、その後面側に第２磁石４が固着されており、前面側に被装着体Ｋｔを挟着するための挟着面６１を備えている（図９参照）。
【００４８】
部材６の後面側には第２磁石４の位置決めに利用できる両側突起部６３が形成されており、磁石４はこれらの間に嵌められて部材６に接着にて固着されている。
【００４９】
挟着面６１は第１被装着体抱持部材５の挟着面５１と対をなして被装着体Ｋｔを挟着するためのものである。挟着面６１の上下の縁には若干の張出部６２が一体に形成されている。張出部６２は正面側から見て第２ケース２の前記第凹状切欠部２２に合致する形状、間隔を有している。この張出部６２は挟着面６１の被装着体Ｋｔに対する当初の位置決めの補助に利用できる。但し、この張出部６２がなければ位置決めできないというものではない。
【００５０】
次に、流体磁気処理器Ａを、内部に被処理流体Ｆｌが流れている被装着体Ｋｔ（本例では断面円形の管体）に挟着する手順を示す。
【００５１】
必ずしもそうする必要はないが、ここでは管体Ｋｔに予め弾性ゴム等からなる円筒体Ｅｔを嵌めておく。なお、かかる円筒体とともに、或いは円筒体に代えて、第１抱持部材５の前記挟着面５１及び第２抱持部材６の前記挟着面６１の少なくとも一方に弾性ゴム等からなるシートを貼着したり、配置したりしてもよい。しかし、それも必ずしもそうする必要はない。
【００５２】
そして、第１ケース１、第２ケース２をその第１凹状切欠部１２、第２凹状切欠部２２に管体Ｋｔを嵌めるようにして管体Ｋｔ両側に配置するとともに、第１ケース前端部の係合凹部１４に第２ケース前端部の係合凸部２４１を係合させ、その係合部位をヒンジ様に利用して第２ケース前端部のボルト通し孔２３と第１ケース前端部の雌ねじ部１３を合致させ、ボルトＢｔをボルト通し孔２３に通しし、雌ねじ部１３のナットＮｔに螺合させ、且つ、第１磁石３、第２磁石４に、それらの相互引力で、第１、第２の抱持部材５、６を介して管体Ｋｔを挟着させる。図５はこのように管体Ｋｔに流体磁気処理器Ａを装着した状態を示している。
【００５３】
かくして、磁石３、４によって管体Ｋｔ内部の空間に所定の磁界を形成して、該空間における水等の流体Ｆｌに所定の磁気処理を施すことができる。
【００５４】
管体Ｋｔから流体磁気処理器Ａを外す場合は、雌ねじ部１３に螺合されているボルトＢｔを外し、ケース１、２の係合凹部１４及び係合凸部２４１による係合部位をヒンジ様に利用してケース１、２を開き、必要に応じて該係合部位の係合を解いてケース１、２を分離し、管体Ｋｔから外せばよい。
【００５５】
かくして流体磁気処理器Ａは管体等の被装着体に対して容易に着脱できる。
【００５６】
また、流体磁気処理器Ａは、部品数が少ないので容易に、安価に製作することができる。
【００５７】
また流体磁気処理器Ａは、ケース１、２における前記凹状切欠部１２、２２の形状、サイズを適当に定めておくことができ、そうすることで、異なる断面形状やサイズ（特に外径）の被装着体に対し対応でき、それだけ処理器設置コストを抑えることができる。
【００５８】
第１、第２の磁石３、４による管体Ｋｔの所定の挟着は前記のように磁石の磁力を利用して簡単になされるのであるが、管体Ｋｔへの処理器Ａの装着のあと、念のため、第１抱持部材５を管体Ｋｔの方へ押しておいてもよい。図１０はそのためのねじ式の駆動機構７を示している。
【００５９】
図１０に示す処理器Ｂは処理器Ａにおいて駆動機構７を設けたものである。駆動機構７は、第１ケース１の後端部１６に設けた雌ねじ部１６１と、該雌ねじ部１６１に螺合され、回動されることで、第１被装着体抱持部材５を第１磁石３とともに第１ケース１の開放前端部１１の方へ（被装着体Ｋｔの方へ）押圧できるねじ棒７１とを含むものである。
【００６０】
以上説明した流体磁気処理器Ａ及びＢでは、第１凹状切欠部１２及び第２凹状切欠部２２の断面形状は、ともに同一でそれぞれ等脚台形状を呈しているが、凹状切欠部としてはそれに限られるものではなく、各種断面形状の被装着体を挟着できるように裾部が広がっている形状であれば各種形状を採用できる。また、これらの形状を組み合わせた形状としてもよい。第１凹状切欠部１２及び第２凹状切欠部２２は断面形状が同一でなくてもよい。
【００６１】
なお、第１磁石３となるべき部材を第１抱持部材５に保持させて第１ケース内に組み込み配置するとともに第２磁石４となるべき部材を第２ケース２内に組み込み配置し、そのあと両ケース１、２を相互に連結して例えば図３に示すような状態とし、この状態で各磁石となるべき部材に着磁処理する場合には、例えば、図３に示す第１抱持部材５の後面側に形成された凹所５０にコイルバネを嵌めるとともに該バネをケース１の後端部内面に当接させ、これにより磁石となるべき部材の相対位置を定めるようにしてもよい。このように用いたバネはその後除去してもよいが、そのままケース１内に放置したままでもよい。かかるバネは磁石となるべき部材の着磁処理時の位置決めの補助をできる程度の強さのものであればよく、被装着体を磁石３、４で挟着するために利用できるものではない。本発明に係る流体磁気処理器においては、被装着体の一対の磁石による挟着は該磁石自身の磁力で行う。
【００６２】
【発明の効果】
以上説明したように本発明によると、被装着体に対する着脱が容易な流体磁気処理器を提供することができる。
【図面の簡単な説明】
【図１】流体磁気処理器の１例の平面図である。
【図２】図１に示す流体磁気処理器の正面図である。
【図３】図１に示す流体磁気処理器の、図１のＸ−Ｘ線に沿う断面図である。
【図４】図１に示す流体磁気処理器の、図２のＹ−Ｙ線に沿う断面図である。
【図５】図１に示す流体磁気処理器を被装着体に装着した状態を示す断面図である。
【図６】図１に示す処理器における第１ケースを示すものであり、図（Ａ）は同ケースの平面図、図（Ｂ）は同ケースの正面図、図（Ｃ）は同ケースの底面図、図（Ｄ）は同ケースの右側面図、図（Ｅ）は図（Ａ）の６Ｅ−６Ｅ線に沿う断面図である。
【図７】図１に示す処理器における第２ケースを示すもので、図（Ａ）は同ケースの平面図、図（Ｂ）は同ケースの正面図、図（Ｃ）は同ケースの左側面図、図（Ｄ）は図（Ａ）の７Ｄ−７Ｄ線に沿う断面図、図（Ｅ）は図（Ｂ）の７Ｅ−７Ｅ線に沿う断面図、図（Ｆ）は図（Ｂ）の７Ｆ−７Ｆ線に沿う断面図である。
【図８】図１に示す処理器における第１被装着体抱持部材を示すもので、図（Ａ）は同部材の平面図、図（Ｂ）は同部材の正面図、図（Ｃ）は同部材の右側面図、図（Ｄ）は同部材の左側面図である。
【図９】図１に示す処理器における第２被装着体抱持部材を示すもので、図（Ａ）は同部材の平面図、図（Ｂ）は同部材の正面図、図（Ｃ）は同部材の右側面図、図（Ｄ）は同部材の左側面図である。
【図１０】流体磁気処理器の他の例を、管体に装着した状態で示す断面図である。
【符号の説明】
Ａ、Ｂ  流体磁気処理器
１  第１ケース
１１  ケース１の前端部
１１１  前端部１１の側壁
１１２  上壁
１１３  下壁
１２  側壁１１１の第１切欠部
１３０  上壁張出部分
１３  雌ねじ部
１３１  ボルト通し孔
１３２  ナット嵌着凹所
Ｎｔ  ナット
Ｂｔ  ボルト
１４０  下壁張出部分
１４  係合凹部
１５  ストッパ部材
１６  ケース１の後端部
２  第２ケース
２１  ケース２の前端部
２１１  前端部２１の側壁
２２  側壁２１１の第２切欠部
２１２  上壁
２１０  上壁前部
２３  ボルト通し孔
２１３  下壁
２４０  下壁前部
２４１  係合凸部
２５  ケース２の磁石保持凹部
３  第１磁石
３１  第１ヨーク部材
４  第２磁石
４１  第２ヨーク部材
５  第１被装着体抱持部材
５１  挟着面
５２  張出部
５３  ナット接触部
５４  突起部
６  第２被装着体抱持部材
６１  挟着面
６２  張出部
６３  突起部
Ｋｔ  管体
Ｆｌ  被処理流体
Ｅｔ  円筒体
７  駆動機構
１６１  ケース１後端部の雌ねじ部
７１  ねじ棒
【図１】
0003907493.tif 000002
【図２】
0003907493.tif 000003
【図３】
0003907493.tif 000004
【図４】
0003907493.tif 000005
【図５】
0003907493.tif 000006
【図６】
0003907493.tif 000007
【図７】
0003907493.tif 000008
【図８】
0003907493.tif 000009
【図９】
0003907493.tif 000010
【図１０】
0003907493.tif 000011